(57)【要約】      （修正有）【課題】攪拌流と吸込流とを分離して円滑な流れを確保すると共に、攪拌羽根の周囲に広い吸い込み面積を確保して抵抗の低減を図り、さらに、攪拌された固形物が再度攪拌羽根に戻るのを防止することができる撹乱ポンプを提供する。【解決手段】撹乱ポンプＡ１は、下面中央部に吸引開口１０を具備すると共に内部にモータ(図示せず)によって駆動されるインペラ１１を内蔵するインペラケーシング１２と、周壁に複数の吸込流用開孔１３を設けた筒状のポンプ側ストレーナ１４と、無孔の流路仕切板１５を介して連結すると共に下面に攪拌流用開口を設け、かつ、ポンプ側ストレーナと同一の外径を有する無孔の攪拌流規制用筒体１７と、インペラケーシングと、ポンプ側ストレーナと、流路仕切板の中央部とを貫通して攪拌流規制用筒体１７内に伸延する回転軸１８と、回転軸１８の下端に固着する攪拌羽根の一例であるプロペラ型攪拌羽根１９とを具備する。【選択図】図１
2006132455.tif 000002
【特許請求の範囲】
【請求項１】
下面中央部に吸引開口を具備すると共に内部にモータによって駆動されるインペラを回転自在に内蔵するインペラケーシングと、
上部を前記インペラケーシングの下部に連通連結すると共に、周壁に複数の吸込流用開孔を設けた筒状のポンプ側ストレーナと、
上部を前記ポンプ側ストレーナの下部に無孔の流路仕切板を介して連結すると共に下面に攪拌流用開口を設け、かつ、前記ポンプ側ストレーナと同一の外径を有する無孔の攪拌流規制用筒体と、
一端を前記モータに連結すると共に、前記インペラケーシングと、前記ポンプ側ストレーナと、前記流路仕切板の中央部とを貫通して前記攪拌流規制用筒体内に伸延する回転軸と、
前記回転軸の下端に固着する攪拌羽根とを具備することを特徴とする撹乱ポンプ。
【請求項２】
前記攪拌流規制用筒体の下部に、下方に向けて漸次外側に放射状に広がるスカート部を連設したことを特徴とする請求項１記載の撹乱ポンプ。
【請求項３】
前記流路仕切板を、外周縁から内周縁に向けて上方に漸次隆起するテーパ形状としたことを特徴とする請求項１記載の撹乱ポンプ。
【発明の詳細な説明】
【技術分野】
【０００１】
本発明は、浚渫現場、土木現場、下水処理場、工場の沈殿池や、ピット、マンホール内等における土砂等を攪拌羽根で攪拌した後、水で希釈しながら吸引し、所望の個所に排出するために用いる撹乱ポンプに関する。
【背景技術】
【０００２】
従来上記した目的に供される撹乱ポンプとして、下面中央部に吸引開口を具備すると共に内部にモータによって駆動されるインペラを回転自在に内蔵するインペラケーシングと、上部をインペラケーシングの下部に連通連結すると共に、周壁に複数の吸込流用開孔を設けた筒状のストレーナと、一端を前記モータに連結すると共に、インペラケーシングとストレーナの底板の中央部とを貫通して筒状ストレーナの下方に伸延する回転軸と、回転軸の下端に固着する攪拌羽根とを具備する撹乱ポンプがある。
上記した構成によって、モータの駆動と共に回転軸が回転してインペラと攪拌羽根が一体的に回転し、攪拌羽根の回転によって下方水流を発生し、この下方水流によって土砂等を攪拌して攪拌流を形成すると共に、攪拌流を、吸込流用開孔を通してストレーナ内に吸い込み、その後、インペラケーシングを介して外部に排出することができる。
また、攪拌羽根による下方水流の発生を容易にするため、攪拌羽根の周囲に近接状態で筒状または笠状の案内部材を設けたものもある。
【発明の開示】
【発明が解決しようとする課題】
【０００３】
しかし、上記した従来の撹乱ポンプでは、複数の開孔を有する小径の筒状案内部材が攪拌羽根を近接状態で囲むように配設されているため、攪拌流が受ける抵抗が大きく、強力な攪拌流を形成することができなかった。この問題は、下方流の形成に最も適しているプロペラ型攪拌羽根において顕著なものとなる。
また、攪拌羽根で吐出した攪拌流で吹き上げられた固形物が再度複数の開孔を通して筒状案内部材内に吸い込まれるおそれがあり、この場合、攪拌された固形物を容易に揚げることができなかった。
本発明は、上記した従来の問題点を解決するためなされたものであり、流路仕切板によって攪拌流と吸込流とを分離して円滑な流れを確保することができると共に、プロペラ型攪拌羽根を攪拌羽根として用いた場合であっても、攪拌羽根の周囲に広い吸い込み面積を確保して攪拌流が受ける抵抗の低減を図ると共に、攪拌された固形物が再度攪拌羽根に戻るのを確実に防止して、固形物の外部への排出を円滑に行うことができる撹乱ポンプを提供することを目的とする。
【課題を解決するための手段】
【０００４】
（１）本発明に係る撹乱ポンプは、下面中央部に吸引開口を具備すると共に内部にモータによって駆動されるインペラを回転自在に内蔵するインペラケーシングと、上部をインペラケーシングの下部に連通連結すると共に、周壁に複数の吸込流用開孔を設けた筒状のポンプ側ストレーナと、上部を前記ポンプ側ストレーナの下部に無孔の流路仕切板を介して連結すると共に下面に攪拌流用開口を設け、かつ、前記ポンプ側ストレーナと同一の外径を有する無孔の攪拌流規制用筒体と、一端をモータに連結すると共に、インペラケーシングと、ポンプ側ストレーナと、前記流路仕切板の中央部とを貫通して前記攪拌流規制用筒体内に伸延する回転軸と、回転軸の下端に固着する攪拌羽根とを具備することを特徴とする。ここで、攪拌羽根としては、強力な下方水流を発生できるプロペラ型攪拌羽根を用いるのが好ましい。
【０００５】
（２）本発明は、上記した構成（１）において、攪拌流規制用筒体の下部に、下方に向けて漸次外側に放射状に広がるスカート部を連設したことにも特徴を有する。
（３）本発明は、上記した構成（１）において、前記流路仕切板を、外周縁から内周縁に向けて上方に漸次隆起するテーパ形状としたことにも特徴を有する。
【発明の効果】
【０００６】
このように、本発明では、ポンプ側ストレーナと攪拌流規制用筒体との間に介設した無孔の流路仕切板によって攪拌流と吸込流とを分離して円滑な流れを確保することができると共に、無孔の攪拌流規制用筒体によって、攪拌流で吹き上げられた固形物が再度攪拌羽根に吸い込まれるのを効果的に防止して、固形物をポンプ側ストレーナを通してインペラケーシング内に円滑に吸引でき、固形物の外部への排出を効果的に行うことができる。
【発明を実施するための最良の形態】
【０００７】
以下、添付図面に示す幾つかの実施の形態を参照しつつ、本発明をより詳細に説明する。なお、以下に説明する全ての実施例において、同一の構造及び機能を有する構成要素は同一の符号を付し、各実施例ごとの重複した説明は省略する。
（第１実施例）
まず、本実施例に係る撹乱ポンプＡ１の構成について、図１及び図２を参照して説明する。
図示するように、本実施例に係る撹乱ポンプＡ１は、下面中央部に吸引開口１０を具備すると共に内部にモータ(図示せず)によって駆動されるインペラ１１を回転自在に内蔵するインペラケーシング１２と、上部をインペラケーシング１２の下部に連通連結すると共に、周壁に複数の吸込流用開孔１３を設けた筒状のポンプ側ストレーナ１４と、上部を前記ポンプ側ストレーナ１４の下部に無孔の流路仕切板１５を介して連結すると共に下面に攪拌流用開口を設け、かつ、ポンプ側ストレーナ１４と同一の外径を有する無孔の攪拌流規制用筒体１７と、一端をモータに連結すると共に、インペラケーシング１２と、ポンプ側ストレーナ１４と、流路仕切板１５の中央部とを貫通して攪拌流規制用筒体１７内に伸延する回転軸１８と、回転軸１８の下端に固着する攪拌羽根の一例であるプロペラ型攪拌羽根１９とを具備する。上記した構成において、回転軸１８にはインペラ１１が固着されている。また、本実施例では、攪拌流規制用筒体１７は、その下部に底板１７aを具備しており、プロペラ型攪拌羽根１９は底板１７aの中央部に設けた開口１７ｂ内に配置されている。本実施例では、攪拌流用開口は、底板１７ａに設けた複数の攪拌流用開孔１７ｃによって形成される。
図中におけるその他の構成要素について説明すると、２０は吐出配管を示し、２１はモータケーシングを示し、２２はポンプ支持脚を示す。
【０００８】
次に、上記した構成を有する撹乱ポンプＡ１の作動について説明する。
モータの駆動と共に回転軸１８が回転してインペラ１１とプロペラ型攪拌羽根１９が一体的に回転し、プロペラ型攪拌羽根１９の回転によって、図１において、攪拌流規制用筒体１７の下部に配設した底板１７ａに設けた攪拌流用開口の一例である攪拌流用開孔１７ｃを通過して攪拌流規制用筒体１７内に流入した後、下方に流れる下方水流を発生し、この下方水流によって土砂等を攪拌して攪拌流Ｆ１を形成すると共に、攪拌流Ｆ１を撹乱ポンプＡ１外で旋回させた後、吸込流用開孔１３を通して吸込流Ｆ２としてストレーナ内に吸い込み、その後、インペラケーシング１２及び吐出配管２０を介して外部に排出することができる。
この際、本実施例では、ポンプ側ストレーナ１４と攪拌流規制用筒体１７との間に介設した無孔の流路仕切板１５によって攪拌流Ｆ１と吸込流Ｆ２とを分離して円滑な流れを確保することができると共に、攪拌流規制用筒体１７の外径をポンプ側ストレーナ１４の外径と等しくしたので、プロペラ型攪拌羽根１９を攪拌羽根として用いた場合であっても、攪拌羽根の周囲に広い吸い込み面積を確保して攪拌流Ｆ１が受ける抵抗の低減を図り、攪拌性能を向上することができる。さらに、無孔の攪拌流規制用筒体１７によって、攪拌流Ｆ１で吹き上げられた固形物が再度プロペラ型攪拌羽根１９に吸い込まれるのを効果的に防止して、固形物を、ポンプ側ストレーナ１４を通してインペラケーシング１２内に円滑に吸引でき、固形物の外部への排出を効果的に行うことができる。
【０００９】
(第２実施例)
図３及び図４に、第２実施例に係る撹乱ポンプＡ２の構成を示す。図示するように、本実施例は、図１及び図２に示す第１実施例との対比において、攪拌流規制用筒体１７の下部に、下方に向けて漸次外側に放射状に広がるスカート部２３を連設したことに特徴を有する。
上記した構成によって、上記した固形物の再度プロペラ型攪拌羽根１９への吸引防止効果を維持しながら攪拌流Ｆ１をより円滑に形成することができる。
【００１０】
図５及び図６に、図３及び図４に示す第２実施例の変形例に係る撹乱ポンプＡ３の構成を示す。図示するように、本変形例は、攪拌流用開口を、攪拌流規制用筒体１７の下部に設けた底板１７eを完全に取り外して、プロペラ型攪拌羽根１９を配置した中央部を除く攪拌流規制用筒体１７の下面全体によって形成したことを特徴とする。
このような構成とすることによって、固形物の再度プロペラ型攪拌羽根１９への吸引防止効果を維持しながら攪拌流Ｆ１をより円滑に形成することができると共に、攪乱ポンプＡ３の構造を簡素化することができる。
【００１１】
(第３実施例)
図７に、第３実施例に係る撹乱ポンプＡ４の構成を示す。図示するように、本実施例は、図１及び図２に示す第１実施例との対比において、流路仕切板２４を、外周縁から内周縁に向けて上方に漸次隆起するテーパ形状としたことに特徴を有する。
上記した構成によって、吸込流Ｆ２の吸引面積を増大することができると共にテーパ面を利用して吸込流Ｆ２を円滑にインペラケーシング１２内に導くことができる。
【産業上の利用可能性】
【００１２】
本発明に係る撹乱ポンプは、特に、浚渫現場、土木現場、下水処理場、工場の沈殿池や、ピット、マンホール内等において有効に用いることができる。
【図面の簡単な説明】
【００１３】
【図１】本発明の第１実施例に係る撹乱ポンプの一部断面正面図。
【図２】図１のＩ−Ｉ線による横断面図。
【図３】本発明の第２実施例に係る撹乱ポンプの一部断面正面図。
【図４】図３のＩＩ−ＩＩ線による横断面図。
【図５】本発明の第２実施例の変形例に係る撹乱ポンプの一部断面正面図。
【図６】図７のＩＩＩ−ＩＩＩ線による横断面図。
【図７】本発明の第３実施例に係る撹乱ポンプの一部断面正面図。
【符号の説明】
【００１４】
Ａ１〜Ａ４：撹乱ポンプ
Ｆ１：攪拌流
Ｆ２：吸込流
１０：吸引開口
１１：インペラ
１２：インペラケーシング
１３：吸込流用開孔
１４：ポンプ側ストレーナ
１５：流路仕切板
１７：攪拌流規制用筒体
１７a：底板
１７ｂ：開口
１７ｃ：攪拌流用開孔
１８：回転軸
１９：プロペラ型攪拌羽根
２０：吐出配管
２１：モータケーシング
２２：ポンプ支持脚
２３：スカート部
２４：流路仕切板
【図１】
2006132455.tif 000003
【図２】
2006132455.tif 000004
【図３】
2006132455.tif 000005
【図４】
2006132455.tif 000006
【図５】
2006132455.tif 000007
【図６】
2006132455.tif 000008
【図７】
2006132455.tif 000009